(57)【要約】      （修正有）【課題】  多量の図面や書類等を綴じしろや綴じ孔を必要とせずに箱状収納袋に多数収納し、個別の出し入れを容易にする。【解決手段】  表紙３と背表紙５と袋状裏表紙４を有する多量の図面類用ファィルにおいて、一端側が袋状裏表紙４の中に引出し押入れ自在に挿入され、他端側に書類等２の綴じ具６が装着され、露出幅が変わる厚さ調節用引出しヒンジ７を設け、前記袋状裏表紙４には、厚さ調節用引出しヒンジ７の反対側の端部に、連結ヒンジ８により１層目箱状収納袋１Ａの底部を連結すると共に、１層目箱状収納袋１Ａの連結端側に連結ヒンジ８により２層目箱状収納袋１Ｂの底部を連結して積層状に配置し、更に、連結してある箱状収納袋の底部の連結端部側に連結ヒンジにより順次、箱状収納袋を連結して積層する事ができ、かつ、箱状収納袋の積層数により変化する厚さに対応して、前記厚さ調節用引出しヒンジ７を引き出し露出幅を変化できる事を特徴としている。【選択図】  図４
2005067179.tif 000002
【特許請求の範囲】
【請求項１】
表紙３と背表紙５と袋状裏表紙４を有する多量の図面類用フアィルにおいて、一端側が袋状裏表紙４の中に引出し押入れ自在に挿入され、他端側に書類等２の綴じ具６が装着され、露出幅が変わる厚さ調節用引出しヒンジ７を設け、前記袋状裏表紙４には、厚さ調節用引出しヒンジ７の反対側の端部に、連結ヒンジ８により１層目箱状収納袋１Ａの底部を連結すると共に、１層目箱状収納袋１Ａの連結端側に連結ヒンジ８により２層目箱状収納袋１Ｂの底部を連結して積層状に配置し、更に連結してある箱状収納袋の底部の連結端部側に連結ヒンジにより順次、箱状収納袋を連結して積層する事ができ、かつ、箱状収納袋の積層数により変化する厚さに対応して、前記厚さ調節用引出しヒンジ７を引き出し露出幅を変化させる事を特徴とする多機能図面ファイル。
【発明の詳細な説明】
【発明の詳細な説明】
［発明の属する技術分野］
【０００１】  本発明は、多量の図面や書類等を綴じしろや綴じ孔を必要とせずに、分類して収納し、個別の出し入れを容易にするファイルであり、特に、官公庁の建設工事の際に提出する工事計画書などのように、ファイルの数倍大きい図面を綴じる場合、綴じしろを設けて中途での折り曲げや綴じ孔をあける事を必要とせずに、折り曲げた多量の図面等を収納でき、かつ、綴じる図面の増加量、分類数に対応させて綴じ込み製本する事ができるファイルに関する。
［従来の技術］
【０００２】  従来のこの種の用途のファイルは、図面や書類等を綴じ込む場合、綴じ込み量が多い時も綴じ具を利用して予め穿設した綴じ孔を通すか、あるいは締め付けるかの手段により一括して綴じていた。この際、ファイルより大きい図面を綴じる場合は、図面をファイルの大きさに折り畳むが、綴じ側（背表紙側）の折り返し位置は、綴じ孔を明けた綴じ込み部分をあけて中途で折り返すので、綴じ側と開放側の厚さを同等にするために、綴じ側に厚手のボール紙等で成るスペーサーを介在させていた。
【０００３】あるいは、図面に綴じ孔を設けずに分類して綴じ込む手段として、フアイルと同等の大きさの複数の大型封筒、又はファイルと同等の大きさの図面袋の側縁を綴じ込んで、この中に折り畳んだ図面を収納しているが、大型封筒は綴じしろがあり、図面袋は袋の収納部分を欠損させているので、規格寸法に降りこんだ図面は収納できず、更に小さく２つ折りする事になるので、全体の厚さが２倍近くに増加し、綴じしろのスペースにも支障が生じ、綴じこめ作業効率も低下し、製本も不必要に厚く成る欠点があった。又、綴じ込む量の増減に対応させて厚さわ調節できなかったため、製本後の体裁が良くなかった。
［発明が解決しようとする課題］
【０００４】  従来、図面類をファイルする場合は、フアイルの大きさに合わせて図面類を折り畳むが、綴じ側は、綴じ孔を設けてあるため中途の位置での折り返しを繰り返す。従って、折り曲げ数の多い大版図面においては、綴じ側は綴じ孔を明けた１枚の厚さであるが、開放側は幾重にも重なって厚くなるため、綴じ側に厚手のボール紙等で成る孔明きスペーサーを図面と交互に挟み込み、綴じ側と開放側の厚さを同等にする作業が付随していた。又、折り畳んだ図面は−括して綴じ込まれるので、必要な図面の探し出し、引き出し、閲覧、及び、元の状態に折り畳んで挿し入れする作業は極めて不便であった。
【０００５】  又、穿孔した綴じ端部を明けた中途位置で折り返すため、折り返し作業は単純な二つ折り以上に繁雑となるばかりでなく、図面類の最終端は必ずしも開放側の端面に一致しないので不揃いとなり、単純な二つ折りの繰り返しに比較すると、定版に規定されたファイルの大きさに対して折り数が多くなり、綴じ側と開放側の両方の折り返し位置の調整が必要となり、図面折り曲げ作業は更に煩雑化して綴じ込みの作業効率を低下させ、製本後のフアイルは必然的に厚くなった。
【０００６】  又、フアイルと同等の寸法の大型封筒を複数枚綴じ込む手段は、収納する図面を規格寸法より小さく折り畳む事になるので折り畳み数が増加するため、綴じこみ厚さか２倍近くに増大し、作業工数を増加するだけでなく、ファイル後の製本の体裁も低下し、かつ、大型封筒で分類されていても、図面の出し入れ、閲覧に不便であった。更に、厚くなるため保存上の格納スペースも広く必要となった。
【０００７】  又、折り畳んだ図面を収納する図面袋は、封筒が発想の原点であったので、左綴じが通例で、出し入れ口は当然、蓋があるが、外見できる位置で見映えが悪く、傷口を防ぐ応急手段的な体裁である。しかし、これに代わる他の手段が見つからず不満足ながら現在も利用しているのが現状である。尚、綴じしろの欠損分を補う為に、図面袋の横幅寸法を綴じしろ分大きくすると、表紙からはみ出して体裁も悪くなり、保存棚に整理する際に並列できないなど、一般に普及する商品としては不適当となる。
［課題を解決するための手段］
【０００８】  本発明は、従来の問題点を解決するため、書類等は綴じ具を利用して綴じ込み、折り畳んで厚くなる図面は、底部が連結され積層された複数の箱状収納袋内に分類して収納するこどができ、また、各箱状収納袋は連結ヒンジにより底部を支軸にして図面が出し入れしやすいように出し入れ口を露出する事ができ、かつ、収納図面の増量、分類数の増加に対応させて、順次、箱状収納袋を連結ヒンジにより連結させ、厚さの増加に対応して、最上位置に積層する書類等を綴じ込んだ厚さ調節用引出しヒンジの露出幅を増大する事ができる多機能ファイルである。
【０００９】  本発明によるファイルは、折り畳んだ図面を収納する箱状収納袋を、出し入れ口を内側に折り曲げて内蔵型にする事により、綴じしろが不必要となり袋の収納部に余裕を持たせる事ができて収納の機能、安全が確保され体裁を向上させる事が可能になった。即ち、表紙と背表紙と袋状裏表紙が連続し、一端側が袋状裏表紙の中に引出し押入れ自在に挿入され、他端側に書類等を綴じる綴じ具が装着され、引き出し長さにより露出幅が変わる厚さ調節用引出しヒンジを設ける。前記袋状裏表紙には、厚さ調節用引出しヒンジの反対側の端部に、連結ヒンジにより１層目箱状収納袋の底部を連結すると共に、１層目箱状収納袋の連結端側に連結ヒンジにより２層目箱状収納袋の底部を連結して積層状に配置する。収納する図面数、分類数の増加には連結してある箱状収納袋の底部の連結端部側に連結レンジにより更に順次、箱状収納袋を連結して積層する事ができ、かつ、箱状収納袋の積層の増加ににより変化する厚さに対応して、前記厚さ調節用引出しヒンジ７を裏表紙から引き出し露出幅を変化できる。
［発明の実施の形態］
【００１０】  添付図面により説明する。表紙３は図示の通り開く事ができ、綴じた書類等２は図２及び図３に示す通り、厚さ調節用引出しヒンジ７の一端側に綴じ具６により綴じ込み、厚さ調節用引出しヒンジ７の他端側は図４及び図５に示す通り袋状裏表紙４の中に挿入され、一端側から自由に引き出す事ができ、。表紙３と同様に綴じ側（背表紙５側）に開閉できる。袋状裏表紙の他端側には、図４及び図５、図６に明示する通り、１層目箱状収納袋１Ａが袋状裏表紙４の上に折り畳んで積層できるように、その底部を連結ヒンジ８により連結する。１層目箱状収納袋１Ａの底部には図４及び図５、図６に明示する通り、２層目箱状収納袋１Ｂの底部を連結ヒンジ８により連結し、綴じ込み図面が多量となり、かつ分類の増加を要する場合には図６に示す通り更に２層目箱状収納袋１Ｂの底部に連結ヒンジ８により３層目箱状収納袋１Ｃの底部を連結して、図面の増量、分類増加に容易に対応する事ができる。各箱状収納袋は図６に示す通り、底部を支軸にして開き、出し入れ口を露出させる事ができるので図面の出し入れは容易となる。
【００１１】  箱状収納袋を複数連結して積層し、厚さが変動する場合は図４及び図５に示す通り、厚さに対応させて厚さ調節用引出しヒンジ７の一端側を箱状収納袋４から引き出し、綴じ具６により他端側に綴じ込んだ書類等２が、所定通り積層した最上部の箱状収納袋の上に重ねられる露出幅に調節する事ができる。
【００１２】  従って、書類等２は綴じ具６により通常のファイルと同様に綴じ込み、折り曲げた厚い図面は積層される複数の箱状収納袋１Ａ、１Ｂ、１Ｃ・・・に分類別に収納し、かつ、簡単に出し入れする事ができる。特に、超大版図面の場合は、綴じしろや綴じ孔が不要であるから折り曲げ作業において中途で折り曲げする必要がなく、順次、簡単に二つ折りして四つ折り、八つ折りにするだけとなるので、折込み作業が単純化して省力化する事ができ、綴じしろを明けての中途折り返しが解消されて厚みが減少し、かつ、開放側は揃える必要がなくなり、収納後の製本の仕上がり良くなる。
【００１３】  収納袋箱１は所定厚みの設定されるが、収納量の変化に対応できるよに側壁が屈曲して厚さが変化するように形成する事により、空隙ができず、収納図面は安定し、又、各箱状収納袋の表面に、収納図面の分類表示を付ける事により、袋内から引き出す前に収納図面を知る事が容易となる。
［実施例］
【００１４】  添付図面の図１から図４は収納袋箱を２個重ね合わせた実施例であり、表紙３と背表紙５、袋状裏表紙４を連続させてファイルカバーを構成する。背表紙５は折り畳んだ図面類を多量に収納できる厚みに対応させて予め幅を設定する。表紙３と袋状裏表紙４の間には、表紙３から順次開いた状態の図３、図４及び図５に明示する通り、一端側が袋状裏表紙４の中に引出し押入れ自在に挿入され、他端側に書類等２の綴じ具６が装着され、露出幅が変わる厚さ調節用引出しヒンジ７を設け、前記綴じ具６により図面以外の書類等２を綴じ込む。前記袋状裏表紙４には、厚さ調節用引出しヒンジ７の反対側の端部に、全体を開いた状態の図４に明示する通り、連結ヒンジ８により１層目箱状収納袋１Ａの底部を連結すると共に、この１層目箱状収納袋１Ａの連結端側に連結ヒンジ８により２層目箱状収納袋１Ｂの底部を連結し、折り曲げると積層状に重なるように配置する。
【００１５】  収納する図面量や分類数が増加する場合は、連結してある箱状収納袋の底部の連結端部側に連結ヒンジにより順次、新たの箱状収納袋を連結して積層する事ができる。この際、箱状収納袋の積層数により増加する厚さに対応して、前記厚さ調節用引出しヒンジ７の袋状裏表紙４内に挿入されている端部を引き出して露出幅を増加させる。各箱状収納袋は積層状態では、開口する出し入れ口９は厚さ調節用引出しヒンジ７により塞がれた状態となるので、収納された図面の逸脱は防止される。
【００１６】  厚さ調節用引出しヒンジ７の下面側には、図３に明示する通り係止片１１を装着し、積層した最上位の箱状収納袋１Ｂの上面には、図３に明示する通り係着片１１を着け、厚さ調節用引出しヒンジ７に綴じ込んだ書類等２を積層した箱状収納袋の上に重ねた時、前記の係止片１１と関着片１０を係着させて、各箱状収納袋を固定させる。この際、箱状収納袋の上面に装着する係着片１０は、各箱状収納袋に予め着けて置く事により、どの層の箱状収納袋が最上位に積層されても、厚さ調節用引出しヒンジ７に装着してある係止片と接着させる事ができ実用性は高くなる。連結ヒンジ８は、糊しろと同様に、予め箱状収納袋の底部に突出させて設けて置くと連結が容易になり、表紙３を図２、図４、図６に示す通り袋状に構成し、薄い書類や出し入れの多い書類などの収納に供する事もできる。
【００１７】  又、背表紙３と袋状裏表紙４を分離して、背表紙５の袋状裏表紙側端部に挿入部を形成し、この挿入部分を袋状裏表紙４の中に引き出しできるように挿入して置き、綴じる厚さの変動に対応させて厚さ調節用引出しヒンジ７と同様に引き出し、背表紙５の幅を増減させる事も可能である。
【００１８】  図６は箱状収納袋を３個積層した他の実施例で、各箱状収納袋１Ａ、１Ｂ、１Ｃを開いた状態を示す。１層目箱状収納袋１Ａが袋状裏表紙４の端部側に連結ヒンジ８を介して連結され、２層目収納袋１Ｂが更に１層目箱状収納袋１Ａに連結ヒンジ８を介して連結する事も前記実施例と同様であり、３層目箱状収納袋１Ｃは連結ヒンジ８により、２層目箱状収納袋１Ｂの底部の連結端部に連結する。
［発明の効果］
【００１９】  本発明は、書類等は通常のファイルと同様に綴じ込み、折り畳んだ図面は分類し積層できる複数の箱状収納袋箱に区分けして収納する。折り畳んで収納する図面には綴じしろや綴じ孔を設ける必要が無く、単純な二つ折りの繰り返しで済むので折り畳み作業が簡単になり、かつ、図面の端部は揃い、又、図面の折り畳み位置が相違したり、図面の寸法に差違があっても収納袋に収納するのでファイル後の製本の仕上がりが一定する。
【００１９】  各箱状収納袋は寸法が一定であり、綴じ込み式ではなく、底部が連結ヒンジにより順次連結され、書籍を開くと同様に底部を支軸として開き、積層状態では厚さ調節用引出しヒンジにより塞がれていた出し入れ口が一様に露出し、収納図面の出し入れが容易となり、折り畳んだ図面を一括して綴じ込んだ従来ファイルとはことなり極めて実用的となった。又、箱状収納袋は、収納図面量の変化に対応して厚みが変化できるように屈曲側壁に構成できるので、従来のように折り畳んだ図面を一括して綴じる際に使用するスペーサーは不要となる。更に各箱状収納袋の表面に収納図面の名称や分類、区分を表示する事により、所要図面の選出が容易となる。
【００２０】  収納する図面の増量、分類数の増加に対しては、既設の箱状収納袋の底部の連結端側に、連結ヒンジにより順次、新設の箱状収納袋の底部を連結して対応する事ができる。その際に発生する厚さの増大に対しては一端側に書類等を綴じ込んだ厚さ調節用引出しヒンジの他端を袋状裏表紙から引き出して、積層状態の時、書類等が所定通り箱状収納袋の上面側に位置するように露出幅を広くする事ができる。従って、予想して設定した背表紙の幅以内で、箱状収納袋を積層可能に順次連結して厚さが変化した場合においては、的確に対応できる実効ある機能を有する。
【図面の簡単な説明】
【図１】  本発明に係る箱状収納袋を２層綴じした一実施例の側面図である。
【図２】  図１の実施例において、表紙を開いた状態の斜視図である。
【図３】  図１の実施例において、綴じ込みの書類等を綴じた厚さ調節用引出しヒンジを開いた状態の斜視図である。
【図４】  図１の実施例において、全体の各分をそれぞれ開いた状態の斜視図である。
【図５】  厚さ調節用引出しヒンジの構成を示す部分図である。
【図６】  箱状収納袋を３個連結して積層した実施例において、各箱状収納袋を開いた状態の部分斜視図である。
【符号の説明】
１Ａ．    １層目箱状収納袋
１Ｂ．    ２層目箱状収納袋
１Ｃ．    ３層目箱状収納袋
２．      書類等
３．      表紙
４．      袋状裏表紙
５．      背表紙
６．      綴じ具
７．      厚さ調節用引出しヒンジ
８．      連結ヒンジ
９’．    出し入れ口
１０．    係着片
１１．    係止片
【図１】
2005067179.tif 000003
【図２】
2005067179.tif 000004
【図３】
2005067179.tif 000005
【図４】
2005067179.tif 000006
【図５】
2005067179.tif 000007
【図６】
2005067179.tif 000008